(57)【要約】【課題】遊技球が落下する領域を広く確保することで、遊技球の落下軌跡が限定されることを防止する。【解決手段】レール飾り枠２３の側壁４０に開口４１を設ける。レール飾り枠２３の内部であって、その側壁４０に沿って移動するシャッタ６０を設ける。このシャッタ６０は開口４１を遮蔽する閉じ位置に保持されており、例えば当たりか否かの移行抽選で中当たりとなる場合に駆動装置６９によって開き位置へと移動する。シャッタ６０が開き位置へと移動すると開口４１が開放され、遊技領域を流下する遊技球８０が開口４１を介してレール飾り枠２３の内部設けられた回収樋５０の内部に案内される。この際、遊技球検知センサ７４によって遊技球８０が検知され、払い出し装置１６による賞球の払い出しが行われる。【選択図】図６
2007236575.tif 000002
【特許請求の範囲】
【請求項１】
遊技球が流下する遊技領域を規定する枠体と、複数の構造物が配設された遊技盤とから構成される遊技盤ユニットにおいて、
前記枠体の側壁のうち、前記遊技領域と対面する壁面に設けられ、前記遊技領域の下流側に位置する開口と、
前記開口を露呈する位置と、前記開口を遮蔽する位置との間で、且つ前記側壁に沿ってスライドする可動物と、
前記可動物をスライドさせる駆動装置と、
前記開口に入った遊技媒体を検知する遊技媒体検知手段と、を備えたことを特徴とする遊技盤ユニット。
【請求項２】
請求項１記載の遊技盤ユニットが組み込まれるとともに、
前記遊技盤ユニットの遊技領域に向けて遊技球の打ち出しを行う発射装置と、
前記遊技球検知手段からの検知信号が出力された場合に、遊技球の払い出しを行う払い出し装置と、
前記駆動装置の駆動制御を行う駆動制御手段と、を備えたことを特徴とする弾球遊技機。
【発明の詳細な説明】
【技術分野】
【０００１】
本発明は、遊技球が流下する遊技領域に複数の構造物が設けられた遊技盤ユニット、及び該遊技盤ユニットが組み込まれたパチンコ機等の弾球遊技機に関するものである。
【背景技術】
【０００２】
パチンコ店等の遊技場に設置されるパチンコ機は、遊技媒体である遊技球に一定の価値が与えられて、遊技を行って獲得した遊技球を種々の景品に交換することができる。このようなパチンコ機の場合、操作ハンドルを操作すると、パチンコ機内部に設けられた発射装置が駆動して遊技球の打ち出しが行われ、打ち出された遊技球は案内通路を通過して、遊技領域の上方から、遊技領域に導出される。遊技領域に導出された遊技球は、遊技領域を流下し、例えば障害釘や風車によって、その流下方向を変化させながら、入賞チャッカー、スタートチャッカー及びアタッカ等の入賞領域に入賞する、或いはアウト口によって回収される。
【０００３】
最近のパチンコ機では、遊技領域のほぼ中央にセンター役物と呼ばれる構造物が設けられていることが多く、また、センター役物が遊技領域に占める領域が拡大する傾向にあるため、例えば入賞チャッカーを、遊技領域に設けられた装飾用の構造物の一部として設け、遊技領域における遊技球が流下する領域を広く確保することが考えられている（特許文献１）。また、この他に、ガイドレールに沿って発射された遊技球の軌道を変化させずに入賞させることができる入賞装置を設けることも考えられている（特許文献２）。
【特許文献１】特開２００２−３４６０７６号公報
【特許文献２】特開平８−１９６６９８号公報
【発明の開示】
【発明が解決しようとする課題】
【０００４】
しかしながら、例えば装飾用の構造物と入賞チャッカーとを一体にした場合、装飾用の構造物の構造が複雑になり、また、装飾用の構造物が大きくなり、遊技球が落下する領域が少なくなるという問題がある。一方、ガイドレールに沿って発射された遊技球の軌道を変化させずに入賞させることができる入賞装置を設けた場合、ガイドレールに沿って発射された遊技球の軌道に対する領域を確保する必要があり、遊技領域を確保したとは言い難いという問題がある。これにより、このようなパチンコ機で遊技を行った場合、遊技領域を流下する遊技球の流下軌跡が限定されてしまうことになるので、遊技性が低減され、客離れをし易いパチンコ機となりやすい。
【０００５】
本発明は、上記課題を解決するためになされたものであり、遊技球が流下する領域を広く確保することで、遊技球の落下軌跡が限定されることを防止することができるようにした遊技盤ユニット、及び弾球遊技機を提供することを目的とする。
【課題を解決するための手段】
【０００６】
上記目的を達成するために、本発明の遊技盤ユニットは、遊技球が流下する遊技領域を規定する枠体と、複数の構造物が配設された遊技盤とから構成される遊技盤ユニットにおいて、前記枠体の側壁のうち、前記遊技領域と対面する壁面に設けられ、前記遊技領域の下流側に位置する開口と、前記開口を露呈する位置と、前記開口を遮蔽する位置との間で、且つ前記側壁に沿ってスライドする可動物と、前記可動物をスライドさせる駆動装置と、前記開口に入った遊技媒体を検知する遊技媒体検知手段と、を備えたことを特徴とする。
【０００７】
また、本発明の弾球遊技機は、上記記載の遊技盤ユニットが組み込まれるとともに、前記遊技盤ユニットの遊技領域に向けて遊技球の打ち出しを行う発射装置と、前記遊技球検知手段からの検知信号が出力された場合に、遊技球の払い出しを行う払い出し装置と、前記駆動装置の駆動制御を行う駆動制御手段とを備えたことを特徴とする。
【発明の効果】
【０００８】
本発明の遊技盤ユニットによれば、遊技球が流下する遊技領域を規定する枠体と、複数の構造物が配設された遊技盤とから構成される遊技盤ユニットにおいて、前記枠体の側壁のうち、前記遊技領域と対面する壁面に設けられ、前記遊技領域の下流側に位置する開口と、前記開口を露呈する位置と、前記開口を遮蔽する位置との間で、且つ前記側壁に沿ってスライドする可動物と、前記可動物をスライドさせる駆動装置と、前記開口に入った遊技媒体を検知する遊技媒体検知手段と、を備えたから、遊技領域に可動役物へ向けて遊技球を入賞させるための経路を配置する空間を新たに確保する必要がなく、遊技領域において遊技球が流下する領域を確保することができる。さらに、遊技盤において可動役物を配置する領域を遊技領域の周縁部にすることで、遊技領域の拡大化を図ることができる。
【０００９】
また、本発明の弾球遊技機によれば、上記記載の遊技盤ユニットが組み込まれるとともに、前記遊技盤ユニットの遊技領域に向けて遊技球の打ち出しを行う発射装置と、前記遊技球検知手段からの検知信号が出力された場合に、遊技球の払い出しを行う払い出し装置と、前記駆動装置の駆動制御を行う駆動制御手段とを備えたから、遊技領域に可動役物へ向けて遊技球を入賞させるための経路を配置する空間を新たに確保する必要がなく、遊技領域において遊技球が落下する領域を確保することができる。さらに、可動役物を配置する領域を遊技領域の周縁部にすることで、遊技領域の拡大化を図ることができる。また、駆動装置の駆動制御によっては、新たな遊技製を備えた弾球遊技機を提供することができる。
【発明を実施するための最良の形態】
【００１０】
図１は、本発明が実施されたパチンコ機（弾球遊技機）の外観を示す斜視図である。このパチンコ機２は、基体となる本体部材３に、上部扉４及び下部扉５からなる２枚の前面扉６が本体部材３に対して回動自在となるように、図示しないヒンジ部を介して組み付けられる。上部扉４の中央には開口４ａが設けられており、この開口４ａは上部扉４の裏側に取り付けられるガラス７等の透光性を有する部材により遮蔽される。なお、上部扉４が閉じている状態では、遊技の際に遊技領域３５を流下する遊技球８０（図５参照）や、遊技領域３５に設けられた構造物は、上記開口４ａを遮蔽するガラス７を介して視認される。なお、符号８は、本体部材３を遊技場等に固定するための固定枠である。
【００１１】
下部扉５には、供給皿１０、操作ハンドル１１等が設けられる。供給皿１０には、遊技を開始する際に遊技球８０が供給される他に、遊技領域３５を流下する遊技球８０が、遊技領域３５に設けられた入賞装置のいずれかに入賞したことを受けて払い出される賞球としての遊技球８０が受容される。なお、符号１２は払出し口であり、この払出し口１２を介して、賞球としての遊技球８０が払い出される。
【００１２】
操作ハンドル１１は、遊技を行う際に操作される。この操作ハンドル１１を操作すると発射装置１５が駆動し、遊技球８０の打ち出しが開始される。なお、発射装置１５における遊技球８０の打ち出し強さは、操作ハンドル１１の操作量に応じて変化する。
【００１３】
図２は、本体部材３から遊技盤ユニット２０を取り外した状態を示す斜視図である。本体部材３には、上述した上部扉４及び下部扉５が回動自在に組み付けられる他に、発射装置１５、払い出し装置１６等が組み付けられている。なお、符号３ａは、遊技盤ユニット２０が組み付けられる、組み付け空間部である。
【００１４】
遊技盤ユニット２０は、詳細は図示しないが、遊技盤２１、支持体２２、レール飾り枠（枠体）２３から構成され、遊技盤２１の前方からレール飾り枠２３が、遊技盤２１の後方から支持体２２がそれぞれ組み付けられる。遊技盤２１には、その略中央に、センター役物２５と呼ばれる構造物が設けられている。このセンター役物２５の略中央からは、図柄表示装置２６が露呈されている。このセンター役物２５の周縁部には、障害釘や、風車などの構造物が配設されている。また、この他に、遊技盤２１には、始動チャッカー２７、入賞チャッカー２８等の入賞装置等の構造物が配設されている。なお、これら入賞装置については周知であるので、その詳細については省略する。また、遊技盤２１には、これら入賞装置の他に、アタッカ２９と呼ばれる可動入賞装置が配設されている。アタッカ２９は、例えば始動チャッカー２７に遊技球が入賞したときに行われる移行抽選で大当たりとなる場合に、開閉動作が行われる。なお、符号３０は飾り、符号３３はアウト口である。
【００１５】
レール飾り枠２３は、遊技領域３５を規定するために遊技盤２１の前面（入賞装置などが組み付けられた面）側に組み付けられる。このレール飾り枠２３の遊技領域３５に対面する側壁４０であって、遊技領域３５の下方には開口４１（図３参照）が設けられている。この開口４１は、後述するシャッタ（可動物）６０によって遮蔽されており、例えば、始動チャッカー２７に遊技球８０が入賞したときに行われる移行抽選で中当たりとなる場合に開放され、遊技球８０を受け入れることが可能となる。なお、この開口４１の周縁部には、開口４１に向けて下り傾斜する傾斜面４１ａ（図３参照）が形成されている。なお、開口４１の配置箇所として遊技領域の下方としたが、遊技領域の下方とは、例えばレール飾り板２３の側壁４０において、パチンコ機２の高さ方向のセンター役物２５の下端からアウト口３３の範囲（図２に示す範囲Ｔ）内に設けられることを示す。
【００１６】
図３及び図４に示すように、このレール飾り枠２３の後面は中空から構成されている。この開口４１が設けられる側壁４０は、略円弧状の側壁から構成されている。この側壁の内側であって、開口４１の上方には、後述するシャッタ６０の移動方向をガイドするガイド片４５が設けられている。このガイド片４５は、その長手方向に直交する断面が略Ｌ字形状から構成されている。このガイド片４５は、その長手方向がレール飾り枠２３の側壁４０に沿って設けられている。なお、このガイド片４５の一片４５ａは、シャッタ６０に設けられたレール溝６２に挿通される。
【００１７】
このガイド片４５の下方には、ボス４６が設けられている。このボス４６には、その中心軸と同軸となるようにネジ穴４６ａが設けられている。このネジ穴４６ａには、ギア６４に設けられた挿通孔６４ａに挿通されたネジ４７が螺合される。なお、このネジ４７は、軸部４７ａの先端部にのみネジ部４７ｂが形成されているので、このネジ４７をボス４６のネジ穴４６ａに螺合させることで、このネジ４７の軸部４７ａが、ギア６４の回転軸となる。
【００１８】
このレール飾り枠２３には、開口４１の下方に回収樋５０が設けられている。回収樋５０は開口４１に入った遊技球８０をパチンコ機２の裏側に導き、例えば遊技場に設けられた回収装置へと回収するために設けられている。この回収樋５０は、開口４１から入った遊技球８０を落下させる落下部５１と、落下する遊技球８０を転動させる転動部５２とから構成される。この落下部５１と、転動部５２との間には後述する遊技球検知センサ（遊技球検知手段）７４が挿入される溝部５３，５４が設けられている。
【００１９】
また、このレール飾り枠２３の内側であって、開口４１の下流側（アウト口３３側）には、ストッパ５５が設けられている。このストッパ５５は、図６中方向に移動するシャッタ６０が当接されることで、シャッタ６０の図６中方向への移動を停止させる。これにより、シャッタ６０が開口４１を遮蔽する位置（以下、閉じ位置）に保持される。
【００２０】
シャッタ６０は、閉じ位置と、開口４１を開放する位置（以下、開き位置）との間で、レール飾り枠２３の内部を、レール飾り枠２３の側壁４０に沿って移動する。このシャッタ６０は、略円弧状から構成され、その一面にラック６１及びレール溝６２が設けられている。ラック６１は、ボス４６にネジ止めされたギア６４と噛合する。レール溝６２は、シャッタ５５の長手方向に沿って設けられている。このシャッタ６０をレール飾り枠２３に組み付ける場合には、レール飾り枠２３のガイド片４５をレール溝６２に挿通させながら組み付ける。このとき、シャッタ６０がレール飾り枠２３の側壁４０の内壁面４０ａとガイド片４５との間に位置することになる。なお、ラック６１及びレール溝６２が設けられた面とは反対側の面６０ａ（図５参照）は、シャッタ６０が閉じ位置にある場合に、開口から露呈される面となる。
【００２１】
駆動モータ６５は、シャッタ６０を移動させるために設けられている。この駆動モータ６５の駆動軸６７にはギア６８が固定されており、駆動モータ６７を駆動させると、その駆動力がギア６７を介して、ギア６４に伝達される。なお、ギア６４はシャッタ６０のラック６１に噛合しているから、例えばシャッタ６０が閉じ位置にある場合に駆動モータ６５を駆動させギア６８を図５中Ａ方向に回転させると、ギア６４が図５中Ｂ方向に回転し、シャッタ６０が図５中Ｃ方向に移動する。また、シャッタ６０が開き位置にある場合にギア６８を図６中Ｄ方向に回転させると、ギア６４が図６中Ｅ方向に回転し、シャッタ６０が図６中Ｆ方向に移動する。なお、駆動モータ６５と、ギア６４，６８とから駆動装置６９が構成されている。
【００２２】
この駆動モータ６５はブラケット７０にネジ７１により固定されている。このブラケット７０は遊技盤２１の裏面２１ａにネジ７２により組み付け固定される。なお、このブラケット７０を遊技盤２１の裏面２１ａに固定する場合、駆動モータ６５を遊技盤２１に設けられた挿通孔２１ｂに挿通させる。なお、符号７０ａは、ネジが挿通される挿通孔であり、符号２１ｃは、ネジ７２が螺合されるネジ孔である。また、符号２１ｄは、回収樋５０の転動部５２が挿通される挿通孔である。
【００２３】
遊技球検知センサ７４は、回収樋５０を落下する遊技球８０を検知するために設けられている。この遊技球検知センサ７４により遊技球８０が検知されると、その検知信号が遊技制御装置（駆動制御手段）７５に出力される。この検知信号を受けると、遊技制御装置７５は、払い出し装置１６を駆動して、所定数の遊技球８０を賞球として供給皿１０に払い出す。
【００２４】
次に、本実施形態の作用について説明する。図５に示すように、遊技が行われていない場合、或いは、通常の遊技が行われる通常状態で遊技が行われた場合には、シャッタ６０は閉じ位置に保持されており、開口４１はシャッタ６０により遮蔽されている。このとき、遊技が行われると、遊技球８０は遊技領域３５の上方から、遊技盤２１に配設された障害釘や風車、或いはセンター役物２５の側壁に弾かれることで、その流下方向を変化させながら流下していく。そして、入賞チャッカー２８や始動チャッカー２７に入賞すると、払い出し装置１６から入賞に応じた賞球としての遊技球８０が供給皿１０に払い出される。一方、入賞チャッカー２８や始動チャッカー２７に入賞しない遊技球８０や、レール飾り枠２３の側壁４０に沿って流下する遊技球８０は、開口４１に到達する場合があるが、開口４１はシャッタ６０によって遮蔽されているので、遊技球８０は、開口４１に入ることなく、アウト口３３に向けて移動する。この際、開口４１の周縁部に設けられた傾斜面４１ａにより、開口４１の側縁部に引っ掛からずにレール飾り枠２３の側壁４０に沿って転動する。
【００２５】
遊技を行った際に始動チャッカー２７に遊技球８０が入賞すると、当たりか否かの抽選、また当たりの種類が「大当たり」であるか、「中当たり」であるかの抽選が行われる。これら抽選で「大当たり」となる場合には、遊技制御装置７５は、遊技状態を通常の状態から「大当たり」状態へと移行させる。「大当たり」状態となると、アタッカ２９が開放されてから例えば３０秒が経過するか、或いは遊技球８０が例えば１０個入賞するかのいずれかの条件が成立した場合にアタッカ２９が一旦閉じる。一回のアタッカ２９の開放時に遊技球８０が１０個入賞すると、アタッカ２９が再度開放される。この動作を最大、例えば１５回行うことで「大当たり」状態が終了する。この「大当たり」状態ではアタッカ２９の内部に設けられた大入賞口に遊技球８０が入賞し易くなるので、通常状態よりも多くの遊技球８０を入賞させることができ、多くの賞球を得ることができる。
【００２６】
一方、上述した抽選で、「中当たり」となると、遊技状態が「中当たり」状態となる。この「中当たり状態」では、遊技制御装置７５は、駆動モータ６５を駆動させ、ギア６８を図５中Ａ方向に回転させる。このギア６８の図５中Ａ方向の回転により、ギア６４が図５中Ｂ方向に回転するので、シャッタ６０がレール飾り枠２３の側壁４０に沿って（図５中Ｃ方向に）移動する。シャッタ６０が図５中Ｃ方向に移動することで、シャッタ６０が閉じ位置から開き位置まで移動することになる。これにより、開口４１が開放され、遊技球８０が開口４１に入賞させることが可能となる。なお、遊技制御装置７５には予め駆動モータ６５を駆動させる時間が記憶されているので、駆動モータ６５を駆動させた時間が所定時間に到達した場合には、遊技制御装置７５は、駆動モータ６５の駆動を停止させる。
【００２７】
開口４１が開放されると、例えばレール飾り枠２３の側壁４０に沿って流下する遊技球８０、或いは入賞チャッカー２８や始動チャッカー２７に入賞しない遊技球８０のいずれかの遊技球が、開口４１受け入れられる。図６に示すように、開口４１に遊技球８０が受け入れられると、その遊技球８０が回収樋５０の落下部５１を落下する。その後、遊技球検知センサ７４の開口７４ａを遊技球８０が通過する際に遊技球８０が検知され、その検知信号が遊技制御装置７５へ出力される。つまり、遊技球検知センサ７４により遊技球８０が検知されることで、遊技球８０が入賞したことになる。この検知信号が遊技制御装置７５へ出力されると、遊技制御装置７５は払い出し装置１６を駆動させ、賞球としての遊技球８０を供給皿１０に払い出す。なお、この場合、アタッカ２９に入賞したときに払い出される賞球数、或いはそれ以下となる数の遊技球８０が払い出される。なお、回収樋５０によって回収された遊技球８０は、パチンコ機２の裏側に案内され、遊技場の島設備に設けられた回収装置へと回収される。
【００２８】
この「中当たり」状態では、例えば、開口４１が開放されてから１５秒経過するか、５個の遊技球８０が入賞するかのいずれかの条件が成立すると、遊技制御装置７５は、駆動モータ６５を駆動させ、ギア６８を図６中Ｄ方向に回転させる。この回転に合わせて、ギア６４が図６中Ｅ方向に回転するので、シャッタ６０がレール飾り枠２３の側壁４０に沿って（図６中Ｆ方向）に移動する。シャッタ６０が図６中Ｆ方向に移動すると、シャッタ６０がストッパ５５に当接され、シャッタ６０の移動が停止される。このシャッタ６０の停止により、シャッタ６０が閉じ位置に保持される。なお、この場合も、遊技制御装置７５は、駆動モータ６５を駆動させた時間が所定時間に到達した場合には、駆動モータ６５の駆動を停止させる。これにより、開口４１がシャッタ６０により遮蔽されるので、遊技領域３５を流下する遊技球８０が開口４１に到達しても、開口４１に入らずに、アウト口３３に向けて、またレール飾り枠２３の側壁４０に沿って転動することになる。
【００２９】
なお、この「中当たり」状態では、１回の開口４１の開放時に遊技球８０が５個入ると、再度開口４１が開放される。そして、開口４１が７回開放されると、「中当たり」状態が終了し、開口４１がシャッタ６０によって遮蔽された状態が保持される。これにより、「中当たり」状態では、「大当たり」状態ほどではないが、多くの遊技球８０を入賞させることができるので、通常状態よりも多くの賞球を得ることができる。これにより、アタッカの機能を遊技領域内に設けなくても遊技盤に備えることができるので、遊技領域を流下する遊技球の流下経路を確保することができる。
【００３０】
本実施形態では、遊技制御装置において、予め駆動モータを駆動させる時間が記憶されておき、駆動モータを駆動させた時間が所定時間に到達した場合には、駆動モータの駆動を停止させるようにしたが、これに限定する必要はなく、例えばシャッタにインデックスを、レール飾り板にインデックスを検知するフォトインタラプタ（以下、ＰＩ）を複数設け、これらＰＩによって、シャッタが閉じ位置に移動したか否か、或いは開き位置に移動したか否かを検知し、インデックスを検知した場合に、駆動モータを停止させるようにしてもよい。
【００３１】
本実施形態では、レール飾り枠の側壁の内側に沿ってシャッタを移動させたが、これに限定する必要はなく、例えばレール飾り板の側壁であって、遊技領域と対面する壁面に沿ってシャッタを移動させることも可能である。
【００３２】
本実施形態では、レール飾り枠の側壁に設けられた開口が１個の場合について説明したが、この開口の数は１個に限定する必要はなく、遊技領域の下流側であれば、複数設けることも可能である。
【００３３】
本実施形態では、遊技盤ユニット２０の遊技領域３５にアタッカ２９を備えた実施形態としているが、これに限定する必要はなく、アタッカ２９を備えていない遊技盤ユニットにおいても使用することができる。この場合、大当たり状態中に、レール飾り枠に設けられたシャッタ６０をスライドさせて開口４１を開閉動作させることで、アタッカとして使用することができる。
【００３４】
本実施形態では、開口を遮蔽するシャッタをレール飾り枠の側壁の内側に沿って、また、遊技盤の盤面と平行な平面上で移動させる形態としたが、これに限定する必要はなく、遊技盤面と直交する方向にシャッタを移動させるようにしてもよい。図７，８に示すように、この場合、レール飾り枠９０の側壁９１に開口９２を設けるとともに、レール飾り枠９０の内部に開口９２に連なる回収樋９３を設ける。この回収樋９３は、本実施形態の回収樋と同様にＬ字形状からなり、落下部９４の最下端に遊技球検知センサ（遊技球検知手段）９６が組み付けられる。一方、遊技盤９７には、断面が六角形状のシャッタ（可動物）９９が挿通される挿通孔９８を設ける。
【００３５】
この挿通孔９８に挿通されるシャッタ９９は、上面（遊技領域１０３に対峙する面）９９ａと下面（開口９２に対峙する面）９９ｃとが、下面９９ｃ側が凸となるように湾曲した湾曲面から構成される。また、シャッタ９９の上面９９ａであって、レール飾り枠９０の上流側端縁部と下流側端縁部とには、レール飾り枠９０の側壁９１に向けて下り傾斜する傾斜面９９ｃ、９９ｄがそれぞれ設けられている。このシャッタ９９は、例えばソレノイドや、ギヤ機構と駆動モータからなる駆動装置１００によって、遊技盤９７の盤面に直交する方向（図７中Ｊ方向、或いは図８中Ｋ方向）にスライドされる。つまり、駆動装置１００によって開口９２を被覆する閉じ位置（図７参照）と、開口９２を露呈する開き位置（図８参照）との間でスライドする。なお、シャッタ９９が開き位置にスライドすると、シャッタ９９は遊技盤９７に設けられた挿通孔９８の内部に収納される。
【００３６】
例えば、シャッタ９９が閉じ位置にある場合には、開口９２がシャッタ９９により被覆されているので、遊技球１０５は、シャッタ９９の傾斜面９９ｃ、上面９９ａ、傾斜面９９ｄの順に（図７中Ｌ方向に）転動した後、再度レール飾り板９０の側壁９１に沿って転動する。一方、遊技制御装置（駆動制御手段）１０１からの駆動信号を受けて駆動装置１００が駆動すると、シャッタ９９が閉じ位置から開き位置に向けて（図７中Ｊ方向に）スライドする。これにより、開口９２が露呈される。この状態では、遊技領域１０３を落下する遊技球、或いはレール飾り枠９０の側壁９１に沿って流下する遊技球１０５が、開口９２からレール飾り枠９０の内部に落下することになる。
【００３７】
開口９２からレール飾り枠９０の内部に落下した遊技球１０５は、回収樋９３の落下部９４を落下し、遊技球検知センサ９６に設けられた開口９６ａを通過する。この開口９６ａの通過の際に、遊技球１０５が通過したことが検知され、その検知信号が遊技制御装置１０１へ出力される。これを受けて、遊技制御装置１０１は払い出し装置１０６を駆動させ、賞球としての遊技球１０５を払い出す。なお、遊技球検知センサ９６の開口９６ａを通過した遊技球１０５は、回収樋９３の転動部９５の内部を転動した後、遊技場の島設備に設けられた回収装置へと回収される。また、開口９２を被覆する場合には、駆動装置１００を駆動させ、シャッタ９９を図８中Ｋ方向に移動させる。これにより、シャッタ９９により開口９２が被覆され、遊技領域１０３を流下する遊技球１０５が開口９２からレール飾り枠９０の内部に落下せずに、レール飾り枠９０の側壁９１に沿って流下し、アウト口から回収される。
【図面の簡単な説明】
【００３８】
【図１】本発明のパチンコ機の外観を示す斜視図である。
【図２】遊技盤ユニットを本体部材から取り外した状態を示す斜視図である。
【図３】レール飾り枠の開口近傍の構成の一例を分解して示す斜視図である。
【図４】レール飾り枠の開口近傍の構成の一例を分解して示す斜視図である。
【図５】シャッタが閉じ位置にある場合の開口近傍を遊技盤に平行な平面から見た場合の断面図である。
【図６】シャッタが開き位置にある場合の開口近傍を遊技盤に平行な平面から見た場合の断面図である。
【図７】シャッタを遊技盤に直交する方向にスライドさせる形態であって、開口が被覆されている状態を示す斜視図である。
【図８】シャッタを遊技盤に直交する方向にスライドさせる形態であって、開口が露呈されている状態を示す斜視図である。
【符号の説明】
【００３９】
２  パチンコ機（弾球遊技機）
１５  発射装置
１６，１０６  払い出し装置
２０  遊技盤ユニット
２１，９７  遊技盤
２３，９０  レール飾り枠（枠体）
３５，１０３遊技領域
４０，９１  側壁
４１，９２  開口
６０，９９  シャッタ（可動物）
６９，１００  駆動装置
７４，９６  遊技球検知センサ（遊技球検知手段）
７５，１０１  遊技制御装置（駆動制御手段）
８０，１０５  遊技球（遊技媒体）
【図１】
2007236575.tif 000003
【図２】
2007236575.tif 000004
【図３】
2007236575.tif 000005
【図４】
2007236575.tif 000006
【図５】
2007236575.tif 000007
【図６】
2007236575.tif 000008
【図７】
2007236575.tif 000009
【図８】
2007236575.tif 000010